(57)【特許請求の範囲】
【請求項１】
ケース本体の内部に、テープを巻き込んだ１個のリールが配置され、前記ケース本体の内部に設けた装填部に非接触型のメモリーカートリッジが配置してあるテープカートリッジであって、
前記メモリーカートリッジは、複数種のテープドライブに設けたメモリーリーダのそれぞれの送受信可能域に対応して、一方のメモリーリーダに対応した第１通信位置と、他方のメモリーリーダに対応した第２通信位置との間で変位可能に装填部で支持されており、
第１通信位置と第２通信位置とにおいて、前記メモリーカートリッジをそれぞれ位置保持するための位置保持構造が、前記装填部と前記メモリーカートリッジとの間に設けてあることを特徴とする単リール型のテープカートリッジ。
【請求項２】
前記位置保持構造が、互いに凹凸係合して該メモリーカートリッジを位置保持するために、前記装填部の側に設けた固定係合部と、前記メモリーカートリッジの外面に設けた第１係合部および第２係合部とで構成されている請求項１記載の単リール型のテープカートリッジ。
【請求項３】
前記メモリーカートリッジに、該メモリーカートリッジを摺動操作するための操作片が突出形成されており、
前記操作片が、前記ケース本体に開口した操作口を介してケース外面に臨んでいる請求項１又は２記載の単リール型のテープカートリッジ。
【請求項４】
前記装填部が、前記ケース本体の周側壁と、前記リールの周縁に沿う部分円弧状の区分壁との間の内隅空所内に設けられている請求項１又は２又は３記載の単リール型のテープカートリッジ。
【請求項５】
前記メモリーカートリッジが、四角形状の基板と、該基板と一体化されたＩＣチップおよびアンテナとを含んでおり、
前記固定係合部が、前記装填部に臨んでケース本体の内面に突設したリブで形成されており、
前記第１係合部および第２係合部が、前記メモリーカートリッジの周縁に形成した凹部で構成してある請求項２又は３記載の単リール型のテープカートリッジ。
【発明の詳細な説明】
【０００１】
【発明の属する技術分野】
この発明は、ＩＣチップを記憶素子とする非接触型のメモリーカートリッジを備えている単リール型のテープカートリッジに関する。
【０００２】
【従来の技術】
メモリーカートリッジを備えたテープカートリッジは、例えば特開平８−１６１８５９号公報に公知である。そこでは、接触型のメモリーカートリッジをケース内に備えており、ケース外面に露出する接触端子を介して、ＩＣチップ内に記憶されている磁気テープの特性データや、設定データ等を読み書きしている。
【０００３】
かかる接触型のメモリーカートリッジでは、接触端子とメモリーリーダとの間で接触不良が生じて、読み書きエラーや動作不良を生じるおそれがある。そこで、非接触型のメモリーカートリッジが提案されている（文献不祥）。非接触型のメモリーカートリッジでは、電波を使ってデータを送受信するので、接触型による接触不良問題を解決でき、テープカートリッジの信頼性を向上できる。
【０００４】
主として大容量のコンピュータデータの記録や、そのバックアップ用の記録媒体として用いられる単リール型のテープカートリッジにおいても、上記のような非接触型のメモリーカートリッジを付加することが予定されている。そこでは、メモリーカートリッジに、例えばテープに記録されたデータのディレクトリや使用履歴データ等の管理情報を記憶させて、より迅速なデータ検索を実現し、さらに、使用開始以後のテープカートリッジ自体の、あるいはデータファイルの経過情報等を記録して、その管理等を行うことが予定されている。また、ロット番号、テープの仕様や特性等のメーカーの製造データも併せて記録することが予定されている。
【０００５】
【発明が解決しようとする課題】
この種の単リール型のテープカートリッジは、読み書き形式が異なる２種のテープドライブに共用され、各ドライブに設けたメモリーリーダの位置の違いに対応して、メモリーカートリッジの取り付け位置が僅かに異なる。例えば、テープドライブＡに適合した位置と、テープドライブＢに適合した位置とで、ケース内におけるメモリーカートリッジの固定位置が異なっており、異なる形式間の互換性がない。そのため、メモリーカートリッジの取り付け位置のみが異なる２種のテープカートリッジを用意する必要があり、さらに、現在使用中のテープカートリッジがどちらのタイプであるかを表示する必要もある。このように、メモリーカートリッジの取り付け位置が異なる２種のテープカートリッジを用意するには、装填部の位置の違いに応じて、２種のケース本体を用意する必要があり、コストが高く付く。外観形状に差がないため、形式の違いを見間違えやすく、管理が煩雑になる不利もある。
【０００６】
この発明の目的は、ケース内部におけるメモリーカートリッジの位置を、テープドライブの型式の違いに応じて位置変更できるようにして、１種類のテープカートリッジを用意するだけで、いずれのテープドライブの型式にも対応でき、その分だけ製造に要するコストが少なくて済む単リール型のテープカートリッジを提供することにある。この発明の他の目的は、メモリーカートリッジをワンタッチで位置変更でき、切り換え操作が容易な単リール型のテープカートリッジを提供することにある。
【０００７】
【課題を解決するための手段】
この発明は、図１に示すごとくケース本体１の内部に、テープ３を巻き込んだ１個のリール２が配置され、ケース本体１の内部に設けた装填部１０に非接触型のメモリーカートリッジＭが配置してあるテープカートリッジを対象とする。メモリーカートリッジＭは、図３に示すごとく複数種のテープドライブに設けたメモリーリーダ２６ａ・２６ｂのそれぞれの送受信可能域に対応して、一方のメモリーリーダ２６ａに対応した第１通信位置と、他方のメモリーリーダ２６ｂに対応した第２通信位置との間で変位可能に装填部１０で支持する。第１通信位置と第２通信位置とにおいて、前記メモリーカートリッジＭをそれぞれ位置保持するための位置保持構造が、前記装填部１０と前記メモリーカートリッジＭとの間に設けられている。
【０００８】
前記位置保持構造は、図５に示すごとく互いに凹凸係合してメモリーカートリッジＭを位置保持するために、前記装填部１０の側に設けた固定係合部２８と、メモリーカートリッジＭの外面に設けた第１係合部１６および第２係合部１７とで構成することができる。
【０００９】
メモリーカートリッジＭには、該メモリーカートリッジＭを摺動操作するための操作片１８を突出形成し、この操作片１８が、ケース本体１に開口した操作口３０を介してケース外面に臨んでいる。
【００１０】
前記装填部１０は、図１に示すごとく前記ケース本体１の周側壁と、前記リール２の周縁に沿う部分円弧状の区分壁８との間の内隅空所Ｓ内に設けることができる。
【００１１】
メモリーカートリッジＭは、図２に示すごとく四角形状の基板１２と、基板１２と一体化されたＩＣチップ１３およびアンテナ１４とを含む。図５において固定係合部２８は、装填部１０内においてケース本体１の内面から突設したリブで形成し、第１係合部１６および第２係合部１７は、メモリーカートリッジＭの周縁に凹み形成した係合凹部で構成されている。
【００１２】
【発明の作用効果】
前記メモリーカートリッジは、複数種のテープドライブに設けた前記メモリーリーダのそれぞれの送受信可能域に対応して、一方の前記メモリーリーダに対応した第１通信位置と、他方の前記メモリーリーダに対応した第２通信位置との間で変位可能であるから、テープカートリッジはいずれの仕様のテープドライブにも対応可能な互換性を有する。これにより、各形式毎に２種のケースを用意する必要がなくなり、ケース作成のための金型は１種で済み、テープカートリッジの製造コストを削減することができる。また、２種のテープカートリッジを別々に管理する必要もなくなるので、管理コストの削減化も図ることができる。それぞれの位置にメモリーカートリッジを位置保持するための位置保持構造が、前記装填部とメモリーカートリッジとの間に設けられているので、不用意に前記メモリカートリッジが動くこともない。
【００１３】
前記装填部側に設けた前記固定係合部と、前記メモリーカートリッジに設けた前記第１係合部および前記第２係合部とで位置保持構造を構成したので、位置保持構造が簡素化するとともに、前記メモリーカートリッジが不用意に移動するのを確実に防止できる。
【００１４】
前記メモリーカートリッジに、これを摺動操作するための前記操作片を突出形成し、前記操作片が前記ケース本体に開口した前記操作口を介してケース外面に臨んでいると、ケース外面より前記操作片に指を掛けてワンタッチで前記メモリーカートリッジを変位させることができる。
【００１５】
前記装填部を部分円弧状の前記区分壁との間の前記内隅空所内に設けてあると、元来はデッドスペースであった前記内隅空所を利用して、そこに前記装填部を設けることができるので、前記メモリーカートリッジ用の装填部を新たに設けることで、前記ケース本体の外形寸法が大きくなるのを避けられる。
【００１６】
【実施例】
図１ないし図５はこの発明に係る単リール型のテープカートリッジの実施例を示す。図１においてテープカートリッジは、上下ケース１ａ・１ｂを蓋合わせ状に結合してなる角箱状のケース本体１を有し、ケース本体１の内部に配置した１個のリール２にテープ３が巻装されている。ケース本体１の前側壁の一側端には、テープ引出口４を設けてあり、これをスライド自在な蓋５で開閉できる。蓋５はばねで閉じ勝手に移動付勢されている。テープ３の繰り出し端には、テープドライブ側の連結具で捕捉連結される先導体７を設けてあり、不使用時の先導体７を直立する待機姿勢で保持固定するために、テープ引出口４の内面上下にキャッチ機構を設けてある。
【００１７】
ケース本体１の内部四隅のうち、テープ引出口４を除く隅部のそれぞれに内隅空所Ｓが設けてある。これら内隅空所Ｓとテープ引出口４の近傍とに設けた４個のねじボスどうしをビス６で締結することにより、上下ケース１ａ・１ｂが接合固定されている。内隅空所Ｓは、リール２の周縁に沿う部分円弧状の区分壁８と、ケース本体１のコーナー壁とで略三角形状に形成する。これら空所のうち、ケース後方に位置し、かつ図１において右側の内隅空所Ｓを利用して、誤消去防止用の切換ピース９を設けてある。切換ピース９は左右方向にスライド変位して、書き込み可能な状態と、書き込みを禁止する状態とに切り換え操作できる。
【００１８】
図２においてメモリーカートリッジＭは、非接触型であって、絶縁性を有する横長四角形の基板１２と、基板１２の片面に配置したＩＣチップ１３と、ＩＣチップ１３の周囲を囲むアンテナ１４とからなり、ＩＣチップ１３およびアンテナ１４の外面が絶縁性接着剤で被覆し封止してある。
【００１９】
切換ピース９用の案内壁２０を利用して、その内側にメモリーカートリッジＭを装填するための装填部１０を形成する。詳しくは、図４に示すように案内壁２０の内方に、基板１２の上下縁を受け止める一対の溝２１と、ＩＣチップ１３側の膨らみを受け入れる凹部２２とを設けて装填部１０とする。案内壁２０と、溝２１および凹部２２が形成される壁２３とは、それぞれ上下ケース１ａ・１ｂの上壁および底壁から対向状に突設して、ケース周壁と同様に接合する。メモリーカートリッジＭは、基板１２の板面が垂直になる状態で、しかもＩＣチップ１３がケース前方を指向する状態で、装填部１０内に装填する。
【００２０】
一般的に単リール式のテープカートリッジに対応したテープドライブには、ＳＤＬＴとＬＴＯと称される２つの形式がある。両者の大きな違いはメモリーリーダの配置位置にあり、図３に示すごとくＳＤＬＴ形式の方が右外側寄りにメモリーリーダ２６ａを配置してある。本発明は、ＳＤＬＴ形式のテープドライブにおけるメモリーリーダ２６ａの送受信域に対応した第１通信位置（図５（ａ））と、ＬＴＯ形式のテープドライブにおけるメモリーリーダ２６ｂの送受信域に対応した第２通信位置（図５（ｂ））との間で、メモリーカートリッジＭが左右方向にスライド変位できるようにして、いずれの形式のテープドライブにも対応できるようにした。
【００２１】
つまり、メモリーカートリッジＭが第１通信位置にあるときには、メモリーカートリッジＭは、ＳＤＬＴ形式のメモリーリーダ２６ａと対峙する位置にあり、このメモリーリーダ２６ａとの間で無線接続状態となることによって、ＩＣチップ１３内に記憶されている履歴情報等の各種情報を読み書きする。さらに詳しくは、メモリーカートリッジＭは、メモリーリーダ２６ａから発せられる特定周波数の微弱電波をアンテナ１４で受けると共振して、その共振電圧でＩＣチップ１３全体の動作に必要な駆動電力を供給してＩＣチップ１３を起動させ、ＩＣチップ１３内に記憶されている各種データをアンテナ１４からメモリーリーダ２６ａに向けて送出したり、メモリーリーダ２６ａから送られてきたデータをＩＣチップ１３内に記憶する。この第１通信位置はＬＴＯ形式のメモリーリーダ２６ｂの送受信域から外れているので、第１通信位置にあるとき、メモリーカートリッジＭと該メモリーリーダ２６ｂとの間が無線接続状態となることはない。同様に、第２通信位置にあるメモリーカートリッジＭは、ＳＤＬＴ形式のメモリーリーダ２６ａの送受信域から外れているので、このときもメモリーカートリッジＭと該メモリーリーダ２６ａとの間が無線接続状態となることはない。
【００２２】
第１・２通信位置から、メモリーカートリッジＭが不用意に動くのを防ぐために位置保持構造を有する。この位置保持構造は、図５に示すごとく装填部１０の内奥において、下ケース１ｂの底壁内面から上向きに突設したリブ２８（固定係合部）と、メモリーカートリッジＭの基板１２の下縁に凹み形成した第１係合凹部１６（第１係合部）と第２係合凹部１７（第２係合部）とからなる。第１係合凹部１６は、基板１２の左端下部に突設された四角形状の先導端１５の下縁に設けられている。第２係合凹部１７は、この第１係合凹部１６と並列して、かつ第１係合凹部１６よりも右側に設けられている。メモリーカートリッジＭが第１通信位置にあるときには、図５（ａ）に示すごとく、第１係合凹部１６とリブ２８とが係合することによってメモリーカートリッジＭを係合固定する。メモリーカートリッジＭが第２通信位置にあるときには、図５（ｂ）のように第２係合凹部１７とリブ２８とが係合することによってメモリーカートリッジＭを係合固定する。リブ２８の斜め上方には、メモリーカートリッジＭの左方向への移動限界を規制するストッパー壁２９を設ける。これにて先導端１５の上面とストッパー壁２９の下面とが係合するので、第２通信位置にあるメモリーカートリッジＭを確実に固定できることにもなる。
【００２３】
メモリーカートリッジＭを摺動操作するために、基板１２の右肩部に操作片１８を突設してあり、この操作片１８が上ケース１ａの主面壁に開口した左右横長の操作口３０を介してケース外面に臨んでいる。これにより、ケース外面より操作片１８に指を掛けて、ワンタッチでメモリーカートリッジＭを左右方向にスライド変位させることが可能となる。
【００２４】
図５（ａ）の第１通信位置にあるメモリーカートリッジＭを左方向にスライド変位させるには、操作片１８に指を掛けて、メモリーカートリッジＭの全体を左方向へ摺動移動させる。このときリブ２８と第１係合凹部１６との係合に拠る抵抗力が生じるが、この抵抗力よりも大きな力を操作片１８に与えてメモリーカートリッジＭを左方向に動かす。メモリーカートリッジＭが第２通信位置に来ると、第２係合凹部１７がリブ２８にパチンと落ち込み係合するとともに、基板１２の左端がストッパー壁２９で受け止められる。第２通信位置から第１通信位置にメモリーカートリッジＭを戻すには、これとは逆に操作片１８を右方向へ操作する。
【００２５】
以上のように、メモリーカートリッジＭをケース本体１内でスライド変位可能として、ＳＤＬＴとＬＴＯとのいずれの形式のテープドライブにも対応できるようにしたので、ケース作成用の金型は１つで足りることになり、テープカートリッジの製造コストの削減化を図ることができる。また、各形式別にテープカートリッジを管理する必要がなくなるので、管理コストの削減も図ることができる。メモリーカートリッジＭをワンタッチで位置変更可能としたので、切り換え操作も容易である。
【００２６】
上記以外に、装填部１０はケース左奥側の内隅空所等にあってもよい。操作片１８を基板１２の下縁に突設して、これに対応して操作口３０を下ケース１ｂに開口してもよい。操作片１８を排し、基板１２に陥没穴を設けて、この陥没穴に針状の突起物を挿入することにより、メモリーカートリッジＭをスライド操作できるようにしてもよい。基板１２の外郭形状は、四角形以外の多角形状に形成してもよい。
【図面の簡単な説明】
【図１】テープカートリッジの内部平面図である。
【図２】メモリーカートリッジの斜視図である。
【図３】要部の内部平面図である。
【図４】装填部の構造を示す縦断側面図である。
【図５】図５（ａ）はメモリーカートリッジＭが第１通信位置にあるとき、図５（ｂ）はメモリカートリッジが第２通信位置にあるときをそれぞれ示す縦断正面図である。
【符号の説明】
１  ケース本体
２  リール
３  テープ
１０  装填部
１２  基板
１６  第１係合部
１７  第２係合部
１８  操作片
２６ａ・２６ｂ  メモリーリーダ
２８  固定係合部
３０  操作口
Ｍ  メモリーカートリッジ
Ｓ  内隅空所
【図１】
0004338064.tif 000002
【図２】
0004338064.tif 000003
【図３】
0004338064.tif 000004
【図４】
0004338064.tif 000005
【図５】
0004338064.tif 000006